(57)【要約】【課題】複数本の尿検査容器の栓体を容易かつ迅速に取り外すことができる尿検査容器の開栓具を提供する。【解決手段】尿検査容器２の容器本体１２の開口部に装着された栓体３を取り外すための尿検査容器の開栓具であって、平面的に見て１列に並べられた複数個の尿検査容器２の栓体群１０に連結離脱自在の連結手段５が、定尺部材１の長手方向に沿って設けられ、連結手段５が栓体群１０に連結された連結状態で、定尺部材１に、栓体群１０を横転しつつ取り外すための回転力が付与されて、複数個の尿検査容器２の栓体群１０を一挙に離脱させるように構成している。【選択図】図１
2018024466.tif 000002
【特許請求の範囲】
【請求項１】
尿検査容器（２）の容器本体（１２）の開口部に装着された栓体（３）を取り外すための尿検査容器の開栓具であって、
平面的に見て１列に並べられた複数個の尿検査容器（２）の栓体群（１０）に連結離脱自在の連結手段（５）が、定尺部材（１）の長手方向に沿って設けられ、
該連結手段（５）が上記栓体群（１０）に連結された連結状態で、上記定尺部材（１）に、上記栓体群（１０）を横転しつつ取り外すための回転力（Ｆ）が付与されて、複数個の上記尿検査容器（２）の上記栓体群（１０）を一挙に離脱させるように構成したことを特徴とする尿検査容器の開栓具。
【請求項２】
上記連結手段（５）は、上記定尺部材（１）の下面（１Ｂ）に凹設された長手方向一端側が開放状の蟻溝部（６）を備え、
該蟻溝部（６）は、上記栓体群（１０）の各栓体（３）に設けた外鍔部（８）に係止する一対の係止突部（６Ａ）（６Ａ）が側壁内面（６Ｂ）（６Ｂ）に設けられ、
上記栓体群（１０）に対し、上記定尺部材（１）を、上記１列に沿って水平状にスライドさせて、上記蟻溝部（６）の上記係止突部（６Ａ）（６Ａ）に、上記栓体群（１０）の全ての上記外鍔部（８）を係止させるように構成されている請求項１記載の尿検査容器の開栓具。
【請求項３】
上記連結手段（５）は、上記定尺部材（１）の下面（１Ｂ）に凹設された蟻溝部（１３）を備え、
該蟻溝部（１３）は、上記栓体群（１０）の各栓体（３）に設けた外鍔部（８）に係止する一対の係止突部（１３Ａ）（１３Ａ）が側壁内面（１３Ｂ）（１３Ｂ）に設けられ、かつ、該係止突部（１３Ａ）（１３Ａ）に所定ピッチで複数の栓体挿入ガイド部（２３）が形成され、
上記栓体群（１０）に対し、上記定尺部材（１）を、上方から押し付けて、上記栓体挿入ガイド部（２３）に沿って上記栓体（３）を上記蟻溝部（１３）に挿入して、上記定尺部材（１）を水平方向にスライドさせて、上記係止突部（１３Ａ）（１３Ａ）に、上記栓体群（１０）の全ての上記外鍔部（８）を一挙に係止させるように構成されている請求項１記載の尿検査容器の開栓具。
【請求項４】
上記連結手段（５）は、上記定尺部材（１）の下面（１Ｂ）に凹設された蟻溝部（９）を備え、
該蟻溝部（９）は、上記栓体群（１０）の各栓体（３）に設けた外鍔部（８）に係止する一対の係止突部（９Ａ）（９Ａ）が側壁内面（９Ｂ）（９Ｂ）に設けられ、かつ、一対の該係止突部（９Ａ）（９Ａ）の下面に、テーパー面部（１８）（１８）が形成され、
上記栓体群（１０）に対し、上記定尺部材（１）を、上方から押し付けて、上記テーパー面部（１８）（１８）を上記外鍔部（８）に摺接させて上記蟻溝部（９）の側壁部（１９）（１９）を拡開状に弾性変形させ、上記係止突部（９Ａ）（９Ａ）を上記外鍔部（８）に乗り越えさせて、該係止突部（６Ａ）（６Ａ）に、上記栓体群（１０）の全ての上記外鍔部（８）を一挙に係止させるように構成されている請求項１記載の尿検査容器の開栓具。
【請求項５】
上記定尺部材（１）は、上記係止突部（６Ａ）（６Ａ）と上記外鍔部（８）の係止状態を維持するための補強部材（２５）が付設されている請求項４記載の尿検査容器の開栓具。
【請求項６】
上記連結手段（５）は、上記定尺部材（１）の下面（１Ｂ）に１列に所定ピッチで並べられた複数の突部（７）を備え、
上記定尺部材（１）は、複数の上記突部（７）を、上記栓体（３）の上端開口部（４）に挿入可能な縮径状態と、該上端開口部（４）の内周面（４Ａ）に圧接する拡径状態に、切換えるための拡径縮径手段（１４）を備え、
上記栓体群（１０）の全ての上端開口部（４）に、上記縮径状態の複数の上記突部（７）を挿入し、上記拡径縮径手段（１４）によって複数の上記突部（７）を上記拡径状態に切換えて、全ての上端開口部（４）の上記内周面（４Ａ）に複数の上記突部（７）を一挙に圧接させるように構成されている請求項１記載の尿検査容器の開栓具。
【請求項７】
上記連結手段（５）は、上記定尺部材（１）の下面（１Ｂ）に１列に所定ピッチで並べられた複数の突部（７）を備え、
上記定尺部材（１）は、複数の上記突部（７）を、上記栓体（３）の上端開口部（４）に圧入可能な拡径状態と、上記栓体（３）を離脱させるための縮径状態に、切換えるための拡径縮径手段（２４）を備え、
上記拡径状態の複数の上記突部（７）を、上記栓体群（１０）の全ての上端開口部（４）に圧入して、該上端開口部（４）の上記内周面（４Ａ）に一挙に圧接させるように構成されている請求項１記載の尿検査容器の開栓具。
【発明の詳細な説明】
【技術分野】
【０００１】
本発明は、尿検査容器の開栓具に関する。
【背景技術】
【０００２】
従来、病院や検査センターで行われる尿検査には、容器本体の開口部に栓体を装着して閉塞する尿検査容器が使用されている（特許文献１参照）。
【先行技術文献】
【特許文献】
【０００３】
【特許文献１】特開２０１５−４９２０２号公報
【発明の概要】
【発明が解決しようとする課題】
【０００４】
特許文献１記載の尿検査容器は、容器本体に栓体を装着した状態で、ラックに鉛直状に保持され、平面的に見て、多数本が縦横複数列に並べられている。
しかし、多数本の尿検査容器の栓体を取り外す作業は、非常に手間が掛かり効率が悪かった。また、尿検査技師が、多数の栓体を手で取り外すことで、指が痛くなってしまうという問題があった。
【０００５】
そこで、本発明は、複数本の尿検査容器の栓体を容易かつ迅速に取り外すことができる尿検査容器の開栓具を提供することを目的とする。
【課題を解決するための手段】
【０００６】
本発明に係る尿検査容器の開栓具は、尿検査容器の容器本体の開口部に装着された栓体を取り外すための尿検査容器の開栓具であって、平面的に見て１列に並べられた複数個の尿検査容器の栓体群に連結離脱自在の連結手段が、定尺部材の長手方向に沿って設けられ、該連結手段が上記栓体群に連結された連結状態で、上記定尺部材に、上記栓体群を横転横転しつつ取り外すための回転力が付与されて、複数個の上記尿検査容器の上記栓体群を一挙に離脱させるように構成したものである。
また、上記連結手段は、上記定尺部材の下面に凹設された長手方向一端側が開放状の蟻溝部を備え、該蟻溝部は、上記栓体群の各栓体に設けた外鍔部に係止する一対の係止突部が側壁内面に設けられ、上記栓体群に対し、上記定尺部材を、上記１列に沿って水平状にスライドさせて、上記蟻溝部の上記係止突部に、上記栓体群の全ての上記外鍔部を係止させるように構成されているものである。
【０００７】
また、上記連結手段は、上記定尺部材の下面に凹設された蟻溝部を備え、該蟻溝部は、上記栓体群の各栓体に設けた外鍔部に係止する一対の係止突部が側壁内面に設けられ、かつ、該係止突部に所定ピッチで複数の栓体挿入ガイド部が形成され、上記栓体群に対し、上記定尺部材を、上方から押し付けて、上記栓体挿入ガイド部に沿って上記栓体を上記蟻溝部に挿入して、上記定尺部材を水平方向にスライドさせて、上記係止突部に、上記栓体群の全ての上記外鍔部を一挙に係止させるように構成されているものである。
また、上記連結手段は、上記定尺部材の下面に凹設された蟻溝部を備え、該蟻溝部は、上記栓体群の各栓体に設けた外鍔部に係止する一対の係止突部が側壁内面に設けられ、かつ、一対の該係止突部の下面に、テーパー面部が形成され、上記栓体群に対し、上記定尺部材を、上方から押し付けて、上記テーパー面部を上記外鍔部に摺接させて上記蟻溝部の側壁部を拡開状に弾性変形させ、上記係止突部を上記外鍔部に乗り越えさせて、該係止突部に、上記栓体群の全ての上記外鍔部を一挙に係止させるように構成されているものである。
また、上記定尺部材は、上記係止突部と上記外鍔部の係止状態を維持するための補強部材が付設されているものである。
【０００８】
また、上記連結手段は、上記定尺部材の下面に１列に所定ピッチで並べられた複数の突部を備え、上記定尺部材は、複数の上記突部を、上記栓体の上端開口部に挿入可能な縮径状態と、該上端開口部の内周面に圧接する拡径状態に、切換えるための拡径縮径手段を備え、上記栓体群の全ての上端開口部に、上記縮径状態の複数の上記突部を挿入し、上記拡径縮径手段によって複数の上記突部を上記拡径状態に切換えて、全ての上端開口部の上記内周面に複数の上記突部を一挙に圧接させるように構成されているものである。
また、上記連結手段は、上記定尺部材の下面に１列に所定ピッチで並べられた複数の突部を備え、上記定尺部材は、複数の上記突部を、上記栓体の上端開口部に圧入可能な拡径状態と、上記栓体を離脱させるための縮径状態に、切換えるための拡径縮径手段を備え、上記拡径状態の複数の上記突部を、上記栓体群の全ての上端開口部に圧入して、該上端開口部の上記内周面に一挙に圧接させるように構成されているものである。
【発明の効果】
【０００９】
本発明の尿検査容器の開栓具によれば、１列に並べられた複数個の尿検査容器の全ての栓体（栓体群）を、容易かつ迅速に、離脱させることができる。病院や検査センターでの尿検査に於て、作業効率を向上でき、時間を短縮できる。尿検査技師の指が痛くなるのを防止できる。構造が簡単で、安価に製造できる。
【図面の簡単な説明】
【００１０】
【図１】本発明の第１実施形態を示した側面図である。
【図２】図１のＡ−Ａ拡大断面図である。
【図３】本発明の第１実施形態の作用を説明するための拡大断面正面図である。
【図４】本発明の第１実施形態の作用を説明するための側面図である。
【図５】本発明の第２実施形態を示した側面図である。
【図６】本発明の第２実施形態の拡大底面図である。
【図７】本発明の第３実施形態を示した側面図である。
【図８】本発明の第３実施形態の作用を説明するための拡大断面正面図である。
【図９】本発明の第４実施形態を示した側面図である。
【図１０】本発明の第４実施形態を示した側面図である。
【図１１】図１０のＢ−Ｂ拡大断面図である。
【図１２】本発明の第５実施形態を示した構成図であり、（Ａ）は側面視の一部断面構成図であり、（Ｂ）は底面視の突部を示す要部構成図である。
【図１３】本発明の第５実施形態を示した側面図であり、（Ａ）は一部断面側面図であり、（Ｂ）は要部拡大断面側面図である。
【図１４】本発明の第５実施形態の作用を説明するための正面図である。
【図１５】本発明の第５実施形態の作用を説明するための側面図である。
【図１６】本発明の第６実施形態の拡径縮径手段を示す側面図であり、（Ａ）は断面側面図であり、（Ｂ）は使用状態の側面図である。
【発明を実施するための形態】
【００１１】
以下、実施の形態を示す図面に基づき本発明を詳説する。
図１に示すように、本発明の尿検査容器の開栓具Ｚは、病院や検査センターでの尿検査の際に、尿検査容器２の栓体３を取り外すために使用される。
尿検査容器２は、透明又は半透明の合成樹脂から成る容器本体１２と、容器本体１２の開口部に着脱自在に装着される短円柱状の栓体３とを有し、検査尿が入れられて容器本体１２に栓体３を装着した状態で、ラック２０に鉛直状に立てて保持されている。ラック２０には、尿検査容器２を差込むための凹部が（平面視で）格子状に多数配設されて、多数本の尿検査容器２が縦横複数列に並べられている。
【００１２】
図１に於て、本発明の第１実施形態を示している。本発明の尿検査容器の開栓具Ｚは、一定の長さ寸法を有する定尺部材１を有している。定尺部材１は、硬質の合成樹脂又はステンレス鋼等の金属から成り、後述の蟻溝部６が長手方向一端面１１に開口状に設けられ、他端部にグリップ部１５が設けられている。また、定尺部材１の上面１Ａに、把手部１６が付設されていても良い。
平面的に見て１列に並べられた複数個の尿検査容器２の各々に栓体３が装着されており、１列に並んだ複数個の栓体３から成る栓体群１０に連結・離脱自在の連結手段５が、定尺部材１の長手方向に沿って設けられている。
【００１３】
図２に示すように、連結手段５は、定尺部材１の下面１Ｂに凹設された蟻溝部６を備えている。蟻溝部６は、栓体３に設けた外鍔部８に係止する一対の係止突部６Ａ，６Ａが側壁内面６Ｂ，６Ｂに設けられている。また、蟻溝部６は、長手方向一端側が開放状に形成され、栓体３がスライド自在に嵌着されるよう構成されている。
【００１４】
容器本体１２は、採尿口（図示省略）を有する内装筒２１と、内装筒２１を被覆する外装筒２２とを、備え、下端部が次第に縮径するスピッツ型に形成されている。外装筒２２の開口端部には、栓体３に取付けるための拡径部２２Ａを有し、その内周面には雌ねじ部が形成されている。内装筒２１の開口端部の内周面に環状溝を設けても良い。
【００１５】
栓体３は、外周面に複数のリブ３０ａが設けられた本体部３０を備え、本体部３０の下端部に、内装筒２１の開口端部に圧入可能な閉塞栓部３１と、外装筒２２の拡径部２２Ａに螺着可能な取付栓部３２が形成され、かつ、本体部３０の上端部に、外装筒２２の拡径部２２Ａに螺着可能な仮止め栓部３３が設けられている。取付栓部３２・仮止め栓部３３の外周面には、拡径部２２Ａの雌ねじ部に螺合する雄ねじ部３２ａ・３３ａが形成されている。なお、閉塞栓部３１の外周面に、環状溝に嵌込むための低突条を設けても良い。栓体３は、上端開口部４が形成され、底壁部３４が閉塞栓部３１に連設されている。容器本体１２への栓体３の装着状態で、閉塞栓部３１によって内装筒２１を閉塞し、かつ、取付栓部３２によって外装筒２２を閉塞するように構成されている。採尿の際、栓体３の閉塞栓部３１に内装筒２１を取着し、仮止め栓部３３に外装筒２２を螺着して、内装筒２１に設けた採尿口に尿を注入する。仮止め栓部３３から外装筒２２を取外し、取付栓部３２に螺着させることで、外装筒２２が内装筒２１を被覆して、容器本体１２に尿が収納される。
栓体３は、仮止め栓部３３の基端部に上端寄りの外鍔部８が突設されると共に、取付栓部３２の基端部に下端寄りの外鍔部３５が突設されている。上端寄りの外鍔部８の下方位置の外周面は、リブ３０ａが省略されて、平滑円周面状に形成されている。
【００１６】
図１に示すように、栓体群１０に対し、定尺部材１を、蟻溝部６が開口する長手方向一端側（一端面１１）を進行方向前方として、１列（の尿検査容器２，２，２…）に沿って、図中矢印Ｓのように、水平状にスライドさせる。蟻溝部６の係止突部６Ａ，６Ａに外鍔部８が嵌まるように、複数個の栓体３を蟻溝部６に次々と滑り込ませ、係止突部６Ａ，６Ａに、栓体群１０の全ての外鍔部８を係止させる。
【００１７】
図３に示すように、連結手段５が栓体群１０に連結された連結状態、即ち、蟻溝部６の係止突部６Ａ，６Ａに栓体群１０の全ての外鍔部８が係止した状態で、定尺部材１に栓体群１０を横転（横倒し）しつつ取り出すための回転力（捩り力）Ｆを付与する。回転力Ｆによって、１列に並んだ全ての栓体３を横転させつつ、栓体３の閉塞栓部３１・取付栓部３２を、容器本体１２の内装筒２１・外装筒２２から離脱させる。複数個の栓体３を同時に横転（横倒し）させることで、栓体群１０を複数個の尿検査容器２から一挙に離脱させる。
なお、図１〜図３は、定尺部材１に凹設した蟻溝部６と、栓体３に設けた外鍔部８との係止によって、複数個の尿検査容器２から栓体群１０を離脱させるものであるため、尿検査容器の開栓構造と言い換えることもできる。
【００１８】
その後、図４に示すように、定尺部材１を傾けて、蟻溝部６に栓体３を滑らせて移動させ、長手方向一端側から、複数個の栓体３を次々と落下させる。このように、定尺部材１を傾けるだけの簡単な操作で、連結手段５から栓体群１０を容易に離脱させることが可能である。
【００１９】
次に、本発明の第２実施形態について説明する。
図５と図６に示すように、（硬質の合成樹脂から成る）定尺部材１に設けられた、栓体群１０に連結・離脱自在の連結手段５は、定尺部材１の下面１Ｂに凹設された蟻溝部１３を備えている。
蟻溝部１３は、栓体群１０の各栓体３に設けた外鍔部８に係止する一対の係止突部１３Ａ，１３Ａが側壁内面１３Ｂ，１３Ｂに設けられ、かつ、該係止突部１３Ａ，１３Ａに所定ピッチで複数の栓体挿入ガイド部２３が形成されている。
なお、容器本体１２及び栓体３は、上述の第１実施形態と同様の構成である。
【００２０】
図５に示すように、栓体群１０に対し、定尺部材１を、矢印Ｄのように上方から押し付けて、栓体挿入ガイド部２３に沿って栓体３を蟻溝部１３に挿入する。
図６に示すように、全ての栓体３を蟻溝部１３に挿入した状態で、定尺部材１を、栓体挿入ガイド部２３の１ピッチの長さ寸法の１／２倍（半ピッチ）だけ、矢印Ｓ方向へ水平方向にスライドさせて、蟻溝部１３の奥壁面２６に栓体３を当接させ、係止突部１３Ａ，１３Ａに、栓体群１０の全ての外鍔部８を一挙に係止させるよう構成されている。
【００２１】
次に、本発明の第３実施形態について説明する。
図７に示すように、定尺部材１は、弾性変形が可能な弾性合成樹脂にて形成され、下面１Ｂに蟻溝部９が凹設されている。蟻溝部９は、長手方向一端側が開放状に形成されている。
図８に示すように、蟻溝部９は、栓体群１０の各栓体３に設けた外鍔部８に係止する一対の係止突部９Ａ，９Ａが、側壁内面９Ｂ，９Ｂに設けられ、かつ、一対の係止突部９Ａ，９Ａの下面に、下方へ次第に拡径状のテーパー面部１８，１８が形成されている。
なお、容器本体１２及び栓体３は、上述の第１実施形態・第２実施形態と同様の構成である。
【００２２】
図７と図８（Ａ）に示すように、栓体群１０に対し、定尺部材１を、図中矢印Ｄのように、上方から押し付ける。
図８（Ｂ）に示すように、係止突部９Ａ，９Ａの下面のテーパー面部１８，１８を、栓体３の外鍔部８に摺接させて、蟻溝部９の側壁部１９，１９を拡開状に（外方へ）弾性変形させる。
図８（Ｃ）のように、係止突部９Ａ，９Ａが外鍔部８を乗り越えたところで、蟻溝部９の側壁部１９，１９が元の形状に復元することにより、係止突部６Ａ，６Ａに、栓体群１０の全ての外鍔部８を一挙に係止させる。
【００２３】
図８（Ｃ）に示すように、定尺部材１の連結手段５が栓体群１０に連結された連結状態で、図３と同様に、定尺部材１に、栓体群１０を横転しつつ取り外すための回転力Ｆが付与されて、平面視１列状の尿検査容器２の栓体群１０を一挙に離脱させる。
次に、図４のように、定尺部材１を傾けて、連結手段５から栓体群１０を容易に離脱させることが可能である。
【００２４】
図９〜図１１では、本発明の第４実施形態を示している。
上述の第３実施形態の定尺部材１に、係止突部６Ａ，６Ａと外鍔部８の係止状態を維持するための補強部材２５が付設されていても良い。
補強部材２５は、金属又は硬質の合成樹脂から成り、断面形状が門型であって、定尺部材１の長手方向にスライド自在に取着されている。補強部材２５は、上面に２本の把持部２５Ａ，２５Ａが立設されている。
図９から図１０に示すように、係止突部６Ａ，６Ａに栓体群１０の全ての外鍔部８を係止させた状態で、補強部材２５を、栓体群１０に対応する位置にスライド移動させる。
図１１に示すように、補強部材２５は、定尺部材１の上面から両側面を包囲状に嵌着されて補強し、栓体群１０（栓体３）を横転させる際、蟻溝部９の側壁部１９，１９の弾性変性を抑制して、係止突部６Ａ，６Ａと外鍔部８の係止状態を維持するよう構成されている。
【００２５】
次に、本発明の第５実施形態について説明する。
図１２（Ａ）に示すように、栓体群１０に連結・離脱自在の連結手段５が、定尺部材１の下面１Ｂに、長手方向に沿って１列に所定ピッチで並べられた複数の突部７を備えている。
定尺部材１は、鉛直状に起立した一対のハンドル部１７，１７が長手方向両端部に設けられると共に下面に半円状の差込片部４３が複数突設された定尺本体部４０と、一方のハンドル部１７に押込自在の操作杆部４５が長手方向一端部（右側端部）に鉛直状に設けられると共に下面に矩形状の差込小凸部４４が複数突設された可動部４１とを、有している。
図１２（Ｂ）に示すように、各突部７は、１対の差込片部４３と差込小凸部４４の組合わせによって形成されている。
【００２６】
定尺部材１は、複数の突部７を、図１２に示す縮径状態と、図１３に示す拡径状態に、切換えるための拡径縮径手段１４を備えている。
拡径縮径手段１４は、定尺本体部４０にスライド自在に保持される上記可動部４１と、可動部４１を弾発付勢する弾発部材４２，４２によって形成されている。
図１２に示す縮径状態で、可動部４１は、弾発部材４２，４２によって弾発付勢されて、複数の差込小凸部４４が、定尺本体部４０の複数の差込片部４３に圧接している。図１２の縮径状態では、各突部７は、栓体３の上端開口部４に挿入可能である。
図１３に示すように、可動部４１の操作杆部４５に押圧力を付与して、弾発部材４２，４２の弾発付勢力に抗して押し込むことで、可動部４１を矢印Ｒ方向にスライドさせ、差込小凸部４４と差込片部４３を離間させて、拡径状態に切換える。図１３の拡径状態で、栓体３の上端開口部４に挿入された突部７は、上端開口部４の内周面４Ａに圧接する。
【００２７】
図１２に示すように、栓体群１０に対し、複数の突部７を備えた定尺部材１を、矢印Ｄのように、上方から押し付けて、栓体群１０の全ての上端開口部４に、縮径状態の複数の突部７を挿入する。
次に、図１３に示すように、定尺部材１の（右側の）ハンドル部１７を手で握って、上記拡径縮径手段１４によって、複数の上記突部７を上記拡径状態に切換える。図１３（Ｂ）に示すように、突部７は、差込小凸部４４と差込片部４３が離間して、栓体３の上端開口部４の内周面４Ａに圧接し、突部７と栓体３が連結状態になる。定尺部材１は、栓体群１０の全ての上端開口部４の内周面４Ａに、複数の突部７を一挙に圧接させ、複数の突部７（連結手段５）と栓体群１０を連結する。
【００２８】
図１４に示すように、突部７が栓体３の上端開口部４の内周面４Ａに圧接して連結された状態で、平面視１列状の全ての栓体３を横転しつつ取り出すための回転力Ｆを、ハンドル部１７を横向きに傾けることで容易に定尺部材１に付与し、栓体３を横転させて取り出す。定尺部材１は、複数の突部７によって、複数個の栓体３を同時に横転させることで、栓体群１０を複数個の尿検査容器２から一挙に離脱させる。
【００２９】
次に、図１５に示すように、定尺部材１のハンドル部１７を握る力を弱めると、弾発部材４２，４２の弾発付勢力によって、可動部４１が矢印Ｌ方向にスライドし、複数の突部７は縮径状態となる。突部７に連結されていた栓体３は、自重により落下する。このようにして、定尺部材１の連結手段５から栓体群１０を、一挙に離脱させることが可能である。
【００３０】
なお、図１６に於て、本発明の第６実施形態を示している。
図１６（Ａ）に示すように、定尺部材１の下面１Ｂに１列に所定ピッチで並べられた複数の突部７が、通常状態（自由状態）では、栓体３の上端開口部４に圧入可能な極僅かな拡径状態とし、複数の突部７を縮径状態に切換えて突部７から栓体３を離脱可能とするための拡径縮径手段２４を備えていても良い。
図１６（Ｂ）に示すように、拡径縮径手段２４は、突部７から栓体３を離脱させる際、人指し指で押さえられるようにハンドル部１７の上端近傍に配設されている。
拡径状態の複数の突部７を、栓体群１０の全ての上端開口部４に圧入して、上端開口部４の内周面４Ａに一挙に圧接させて連結された状態で、ハンドル部１７を横向きに傾けることで容易に定尺部材１に回転力Ｆを付与し、栓体群１０を複数個の尿検査容器２から一挙に離脱させる。次に、拡径縮径手段２４を人指し指で押込んで、複数の突部７を縮径状態に切換えることで、定尺部材１から栓体群１０を、一挙に離脱させることが可能である。
【００３１】
なお、図１，図５，図７に示す定尺部材１は、把手部１６を省略しても良い。容器本体１２は、底の丸い試験管型であっても良い。
【００３２】
以上のように、本発明に係る尿検査容器の開栓具は、尿検査容器２の容器本体１２の開口部に装着された栓体３を取り外すための尿検査容器の開栓具であって、平面的に見て１列に並べられた複数個の尿検査容器２の栓体群１０に連結離脱自在の連結手段５が、定尺部材１の長手方向に沿って設けられ、該連結手段５が上記栓体群１０に連結された連結状態で、上記定尺部材１に、上記栓体群１０を横転しつつ取り外すための回転力Ｆが付与されて、複数個の上記尿検査容器２の上記栓体群１０を一挙に離脱させるように構成したので、１列に並べられた複数個の尿検査容器２の複数個の栓体３（栓体群１０）を、容易かつ迅速に、離脱させることができる。病院や検査センターでの尿検査に於て、作業効率を向上でき、時間を短縮できる。尿検査技師の指が痛くなるのを防止できる。構造が簡単で、安価に製造できる。
【００３３】
また、上記連結手段５は、上記定尺部材１の下面１Ｂに凹設された長手方向一端側が開放状の蟻溝部６を備え、該蟻溝部６は、上記栓体群１０の各栓体３に設けた外鍔部８に係止する一対の係止突部６Ａ，６Ａが側壁内面６Ｂ，６Ｂに設けられ、上記栓体群１０に対し、上記定尺部材１を、上記１列に沿って水平状にスライドさせて、上記蟻溝部６の上記係止突部６Ａ，６Ａに、上記栓体群１０の全ての上記外鍔部８を係止させるように構成されているので、栓体群１０を、定尺部材１の連結手段５に、容易かつ迅速に、係止させることができ、作業効率を向上できる。また、離脱させた栓体群１０を、定尺部材１を傾けるだけの簡単な操作で、連結手段５から容易に離脱させることができる。
【００３４】
また、上記連結手段５は、上記定尺部材１の下面１Ｂに凹設された蟻溝部１３を備え、該蟻溝部１３は、上記栓体群１０の各栓体３に設けた外鍔部８に係止する一対の係止突部１３Ａ，１３Ａが側壁内面１３Ｂ，１３Ｂに設けられ、かつ、該係止突部１３Ａ，１３Ａに所定ピッチで複数の栓体挿入ガイド部２３が形成され、上記栓体群１０に対し、上記定尺部材１を、上方から押し付けて、上記栓体挿入ガイド部２３に沿って上記栓体３を上記蟻溝部１３に挿入して、上記定尺部材１を水平方向にスライドさせて、上記係止突部１３Ａ，１３Ａに、上記栓体群１０の全ての上記外鍔部８を一挙に係止させるように構成されているので、栓体群１０を、定尺部材１の連結手段５に、容易かつ迅速に、係止させることができ、作業効率を向上できる。定尺部材１を、栓体挿入ガイド部２３の１ピッチの長さ寸法の１／２倍（半ピッチ）水平方向にスライドさせるだけで済み、作業を容易かつ迅速に行うことができる。
【００３５】
また、上記連結手段５は、上記定尺部材１の下面１Ｂに凹設された蟻溝部９を備え、該蟻溝部９は、上記栓体群１０の各栓体３に設けた外鍔部８に係止する一対の係止突部９Ａ，９Ａが側壁内面９Ｂ，９Ｂに設けられ、かつ、一対の該係止突部９Ａ，９Ａの下面に、テーパー面部１８，１８が形成され、上記栓体群１０に対し、上記定尺部材１を、上方から押し付けて、上記テーパー面部１８，１８を上記外鍔部８に摺接させて上記蟻溝部９の側壁部１９，１９を拡開状に弾性変形させ、上記係止突部９Ａ，９Ａを上記外鍔部８に乗り越えさせて、該係止突部６Ａ，６Ａに、上記栓体群１０の全ての上記外鍔部８を一挙に係止させるように構成されているので、栓体群１０を、定尺部材１の連結手段５に、容易かつ迅速に、係止させることができ、作業効率を向上できる。係止突部９Ａ，９Ａが外鍔部８を乗り越えた際に、カチッという音が出るので、栓体群１０が連結手段５に係止したのを音で確認することができ、栓体群１０を連結手段５に確実に係止することができる。
【００３６】
また、上記定尺部材１は、上記係止突部６Ａ，６Ａと上記外鍔部８の係止状態を維持するための補強部材２５が付設されているので、栓体群１０を横転させる際、蟻溝部９の側壁部１９，１９の弾性変性を抑制して、複数個の尿検査容器２の栓体群１０を確実に離脱させることができる。
【００３７】
また、上記連結手段５は、上記定尺部材１の下面１Ｂに１列に所定ピッチで並べられた複数の突部７を備え、上記定尺部材１は、複数の上記突部７を、上記栓体３の上端開口部４に挿入可能な縮径状態と、該上端開口部４の内周面４Ａに圧接する拡径状態に、切換えるための拡径縮径手段１４を備え、上記栓体群１０の全ての上端開口部４に、上記縮径状態の複数の上記突部７を挿入し、上記拡径縮径手段１４によって複数の上記突部７を上記拡径状態に切換えて、全ての上端開口部４の上記内周面４Ａに複数の上記突部７を一挙に圧接させるように構成されているので、栓体群１０を、定尺部材１の連結手段５に、容易かつ迅速に、連結させることができ、作業効率を向上できる。また、離脱させた栓体群１０を、複数の突部７を縮径状態に戻すだけの簡単な操作で、連結手段５から容易に離脱させることができる。
【００３８】
また、上記連結手段５は、上記定尺部材１の下面１Ｂに１列に所定ピッチで並べられた複数の突部７を備え、上記定尺部材１は、複数の上記突部７を、上記栓体３の上端開口部４に圧入可能な拡径状態と、上記栓体３を離脱させるための縮径状態に、切換えるための拡径縮径手段２４を備え、上記拡径状態の複数の上記突部７を、上記栓体群１０の全ての上端開口部４に圧入して、該上端開口部４の上記内周面４Ａに一挙に圧接させるように構成されているので、栓体群１０を、定尺部材１の連結手段５に、容易かつ迅速に、連結させることができ、作業効率を向上できる。また、複数の突部７を縮径状態にする簡単な操作で、離脱させた栓体群１０を、連結手段５から容易に離脱させることができる。
【符号の説明】
【００３９】
１  定尺部材
１Ｂ  下面
２  尿検査容器
３  栓体
４  上端開口部
４Ａ  内周面
５  連結手段
６  蟻溝部
６Ａ  係止突部
６Ｂ  側壁内面
７  突部
８  外鍔部
９  蟻溝部
９Ａ  係止突部
９Ｂ  側壁内面
１０  栓体群
１２  容器本体
１３  蟻溝部
１３Ａ  係止突部
１３Ｂ  側壁内面
１４  拡径縮径手段
１８  テーパー面部
１９  側壁部
２３  栓体挿入ガイド部
２４  拡径縮径手段
２５  補強部材
Ｆ  回転力
【図１】
2018024466.tif 000003
【図２】
2018024466.tif 000004
【図３】
2018024466.tif 000005
【図４】
2018024466.tif 000006
【図５】
2018024466.tif 000007
【図６】
2018024466.tif 000008
【図７】
2018024466.tif 000009
【図８】
2018024466.tif 000010
【図９】
2018024466.tif 000011
【図１０】
2018024466.tif 000012
【図１１】
2018024466.tif 000013
【図１２】
2018024466.tif 000014
【図１３】
2018024466.tif 000015
【図１４】
2018024466.tif 000016
【図１５】
2018024466.tif 000017
【図１６】
2018024466.tif 000018